(57)【特許請求の範囲】
【請求項１】
スライドプレートと、
前記スライドプレート内に形成された複数の円弧状の種子寄せ場と、
ベースプレートと、
前記ベースプレート内に形成された複数の種通過用の中空穴と、
前記スライドプレートの上に配置された種子容器と、
前記ベースプレートの種通過用の中空穴から下方向に配列された複数のチューブと、
前記複数のチューブの下側の端部に、それぞれ配置されたＬ字状の穴あけ棒と、
前記スライドプレート、ベースプレート、Ｌ字状の穴あけ棒とを保持しているフレームとで構成された種蒔き機であって、
前記円弧状の種子寄せ場には、複数の種が配列されて並べられており、
スライドプレートがベースプレートの上を移動されることによって、
前記円弧状の種子寄せ場の端部が、前記ベースプレート上の前記種通過用の中空穴の位置に移動して、種が落下し、
落下した種が、前記チューブの中を通過して、前記Ｌ字状の穴あけ棒が開けた地面の穴の中に落下することを特徴とする種蒔き機。
【請求項２】
前記スライドプレートが移動されて、
前記、スライドプレート上の複数の円弧状の種子寄せ場の端部から
種が、１個落ちるごとに、
前記スライドプレートの直線的なスライド移動で周りの種子に刺激を与えて
種子を円弧状の種子寄せ場に入れたり弾いたりすることで、
前記円弧状の種子寄せ場に入っていなかった複数の種が、それぞれ
複数の円弧状の種子寄せ場の溝に、１個づつ補給されることを特徴とする請求項１記載の
種蒔き機。
【請求項３】
前記円弧状の種子寄せ場の形状は、
種子の直径を、Ａｍｍとして、
幅がＡ×１．１ｍｍ以上から、Ａ×１．２ｍｍ以下の範囲であり、
円弧の長さは、Ａ×４．５ｍｍ以上から、Ａ×５．５ｍｍ以下の範囲であり、
曲がりＲは、Ａ×１．８ｍｍ以上から、Ａ×２．２ｍｍ以下の範囲であり、
スライドプレートの移動距離は、Ａ×１．２ｍｍ以上から、Ａ×１．３ｍｍ以下の範囲であることを特徴とする請求項１または２記載の種蒔き機。
【請求項４】
前記Ｌ字状の穴あけ棒は、種入れの深さに対して、３倍の長さであり、土が付着しづらい様に
土に入る先端が三角形に削り尖らせたことを特徴とする請求項１ないし３のいずれか１項記載の種蒔き機。
【請求項５】
前記種蒔き機は、フレームを介して、人手あるいは自動機械駆動機構によって、移動可能であって、前記Ｌ字状の穴あけ棒が人手あるいは自動機械駆動機構によって、
地面に、種蒔き用の穴があけられ、
前記Ｌ字状の穴あけ棒が引き抜かれる場合に、
前記Ｌ字状の穴あけ棒の側面の土が崩れて培土されたことを特徴とする請求項１ないし４のいずれか１項記載の種蒔き機。
【発明の詳細な説明】
【技術分野】
【０００１】
本発明は、スライドプレートを移動させることによって、種を、安定に、落下させ、かつ順次、種を、スライドプレートの円弧状の種子寄せ場に供給することができ、落下した種を、地面に蒔くことができる種蒔き機に関する。
【背景技術】
【０００２】
従来の種蒔き機は、スライドプレート、ベースプレートを配置し、前記スライドプレート、ベースプレートには、種を一時保管する、あるいは通過させる円形状の空間が開けられ、
前記スライドプレートを移動させるごとに、種を落下させる構造であった。
特許文献１，２，３，４，５には、従来の種蒔き機の内容が、開示されている。
【先行技術文献】
【特許文献】
【０００３】
【特許文献１】特開２０１０−１５４８１６号公報
【特許文献２】特開２０１２−１５７２７７号公報
【特許文献３】特開２０１４−２３６７２２号公報
【特許文献４】実開平６−３０１１号公報
【特許文献５】特開２００８−１３６４４４号公報
【発明の概要】
【発明が解決しようとする課題】
【０００４】
（従来特許の問題点）
特許文献１は、スライドプレートの種寄せ場を大きくしても供給孔に確実に種子を誘導できないという問題点があった。
特許文献２は、本体が大きいため種子がスライドプレートに入れるのに時間がかかる。また、スライドプレートとベースプレートに隙間が出来種子が挟まりメンテナンスが必要であるという問題点があった。
特許文献３は、種子容器に種子を入れたとき、種子が大小あるため種子詰りが発生する。また、種子容器をスライドするとき種子が容器と板に挟まり種子の皮がめくれ、そのカスで種子が詰まるという問題点があった。
特許文献４は、作業効率が悪いという問題点があった。具体的には、穴をあける、移動、穴をあけた場所に合わせ、種子を落とし本体を下げ倍土する作業の作業性が悪い。
種子孔に土が詰まる。
特許文献５は、本体が大きいため種子がスライドプレートに入れるのに時間がかかる。また、スライドプレートとベースプレートに隙間が出来種子が挟まりメンテナンスが必要であるという問題点があった。
【０００５】
（従来の種蒔き機の問題点）
１．土の穴あけ作業に関して
１箇所１箇所指等で土に穴をあける。土の穴の深さの管理とかがんでの作業と労力と数が必要である。
２．種蒔作業に関して
小さい種子だとほとんど個数を数えずばらまきで種子を埋める。このため間引きの回数が増え労力と処分が必要である。
３．培土作業
１箇所１箇所指等で穴を土で埋める。かがんでの作業と労力と日数が必要である。
【０００６】
本発明の課題は、従来の種蒔き機で生じていた、種の供給過程途中での種のつまりを防止した、円滑に種を連続的に供給することができる種蒔き機を提供することである。
【課題を解決するための手段】
【０００７】
本発明の請求項1に係る種蒔き機は、スライドプレートと、前記スライドプレート内に形成された複数の円弧状の種子寄せ場と、ベースプレートと、前記ベースプレート内に形成された複数の種通過用の中空穴と、前記スライドプレートの上に配置された種子容器と、前記ベースプレートの種通過用の中空穴から下方向に配列された複数のチューブと、前記複数のチューブの下側の端部に、それぞれ配置されたＬ字状の穴あけ棒と、前記スライドプレート、ベースプレート、Ｌ字状の穴あけ棒とを保持しているフレームとで構成された種蒔き機であって、前記円弧状の種子寄せ場には、複数の種が配列されて並べられており、
スライドプレートがベースプレートの上を移動されることによって、前記円弧状の種子
寄せ場の端部が、前記ベースプレート上の前記種通過用の中空穴の位置に移動して、種が落下し、落下した種が、前記チューブの中を通過して、前記Ｌ字状の穴あけ棒が開けた地面の穴の中に落下することを特徴とする種蒔き機である。
【０００８】
本発明の請求項２に係る種蒔き機は、前記スライドプレートが移動されて、前記スライドプレート上の複数の円弧状の種子寄せ場の端部から種が、１個落ちるごとに、前記スライドプレートの直線的なスライド移動で周りの種子に刺激を与えて種子を円弧状の種子寄せ場に入れたり弾いたりすることで、前記円弧状の種子寄せ場に入っていなかった複数の種が、それぞれ複数の円弧状の種子寄せ場の溝に、１個づつ補給されることを特徴とする請求項１記載の種蒔き機である。
【０００９】
本発明の請求項３に係る種蒔き機は、前記円弧状の種子寄せ場の形状は、
種の直径を、Ａｍｍとして、幅がＡ×１．１ｍｍ以上から、Ａ×１．２ｍｍ以下の範囲であり、円弧の長さは、Ａ×４．５ｍｍ以上から、Ａ×５．５ｍｍ以下の範囲であり、曲がりＲは、Ａ×１．８ｍｍ以上から、Ａ×２．２ｍｍ以下の範囲であり、スライドプレートの移動距離は、Ａ×１．２ｍｍ以上から、Ａ×１．３ｍｍ以下の範囲であることを特徴とする請求項１または２記載の種蒔き機である。
【００１０】
幅が、Ａ×１．１ｍｍ未満であると、種が円弧状の種子寄せ場の中に入るのが困難となり、
幅が、Ａ×１．２ｍｍを超えると、種が入った後の種の不要な動きが出る問題点が生じ。
円弧の長さが、Ａ×４．５ｍｍ未満、またはＡ×５．５ｍｍを超えると、種が入る個数にばらつきが生ずる問題点が生じ、曲がりＲが、Ａ×１．８ｍｍ未満、またはＡ×２．２ｍｍを超えると、入った種の曲がり方向の動きが悪くなる問題点が生じ、スライドプレートの移動距離は、Ａ×１．２ｍｍ未満、またはＡ×１．３ｍｍを超えると、入った種の交換が円滑に行われないという問題点が生ずる。
【００１１】
本発明の請求項４に係る種蒔き機は、前記Ｌ字状の穴あけ棒は、種入れの深さに対して、３倍の長さであり、土が付着しづらい様に土に入る先端が三角形に削り尖らせたことを特徴とする請求項１ないし３のいずれか１項記載の種蒔き機である。
【００１２】
本発明の請求項５に係る種蒔き機は、前記種蒔き機は、フレームを介して、人手あるいは自動機械駆動機構によって、移動可能であって、前記Ｌ字状の穴あけ棒が人手あるいは自動機械駆動機構によって、地面に、種蒔き用の穴があけられ、前記Ｌ字状の穴あけ棒が引き抜かれる場合に、前記Ｌ字状の穴あけ棒の側面の土が崩れて培土されたことを特徴とする請求項１ないし４のいずれか１項記載の種蒔き機である。
【発明の効果】
【００１３】
請求項１の種蒔き機によれば、種の供給過程途中での種のつまりを防止した、円滑に種を連続的に供給することができる種蒔き機を提供することができる。
【００１４】
請求項２の種蒔き機によれば、種の供給を円滑にできる種蒔き機を提供することができる。
【００１５】
請求項３の種蒔き機によれば、適切な寸法条件の円弧状の種子寄せ場を有する種蒔き機を提供することができる。
【００１６】
請求項４の種蒔き機によれば、地面に投入容易な、Ｌ字状の穴あけ棒を有する種蒔き機を提供することができる。
【００１７】
請求項５の種蒔き機によれば、人手あるいは自動機械駆動機構によって、稼働可能な種蒔き機を提供することができる。
【００１８】
本発明によれば、従来の種蒔き機で生じていた、種の供給過程途中での種のつまりを防止した、円滑に種を連続的に供給することができる種蒔き機を提供することができる。
【図面の簡単な説明】
【００１９】
【図１】実施例１の種蒔き機の斜視図。
【図２】実施例のスライドプレートの図
【図３】実施例のスライドプレートの動作図。
【図４】実施例のスライドプレートと、ベースプレートとの動作図。
【図５】実施例のスライドプレートの動作の説明図
【図６】ベースプレートの上面図。
【図７】実施例の円弧状の種子寄せ場に、種が供給される過程の説明図。図７（ａ）は、円弧状の種子寄せ場に種子が充填された状態、図７（ｂ）は、スライドプレートが移動して、種子が、１個落下した後の状態、図７（ｃ）は、円弧状の種子寄せ場に、種子容器内の種子が充填されていく状態の図である。
【図８】Ｌ字状穴あけ棒の図。
【図９】種子箱と、スライドプレート、ベースプレート、チューブとの側面図。
【図１０】チューブとＬ字状穴あけ棒の側面図。
【図１１】従来の種まき機の図。
【図１２】実施例のＬ字状穴あけ棒の動作図。図１２（ａ）は、Ｌ字状穴あけ棒を地面に突きさす前の状態、図１２（ｂ）は、Ｌ字状穴あけ棒を地面に突きした状態、図１２（ｃ）は、Ｌ字状穴あけ棒を地面から抜いた状態の図である。
【発明を実施するための形態】
【００２０】
本発明の実施の形態による種蒔き機は、スライドプレートと、前記スライドプレート内に形成された複数の円弧状の種子寄せ場と、ベースプレートと、前記ベースプレート内に形成された複数の種通過用の中空穴と、前記スライドプレートの上に配置された種子容器と、前記ベースプレートの種通過用の中空穴から下方向に配列された複数のチューブと、前記複数のチューブの下側の端部に、それぞれ配置されたＬ字状の穴あけ棒と、前記スライドプレート、ベースプレート、Ｌ字状の穴あけ棒とを保持しているフレームとで構成された種蒔き機であって、前記円弧状の種子寄せ場には、複数の種が配列されて並べられており、
スライドプレートがベースプレートの上を移動されることによって、前記円弧状の種子
寄せ場の端部が、前記ベースプレート上の前記種通過用の中空穴の位置に移動して、種が落下し、落下した種が、前記チューブの中を通過して、前記Ｌ字状の穴あけ棒が開けた地面の穴の中に落下することを特徴とする種蒔き機である。
【００２１】
ここで、前記スライドプレートが移動されて、前記スライドプレート上の複数の円弧状の種子寄せ場の端部から種が、１個落ちるごとに、前記スライドプレートの直線的なスライド移動で周りの種子に刺激を与えて種子を円弧状の種子寄せ場に入れたり弾いたりすることで、前記円弧状の種子寄せ場に入っていなかった複数の種が、それぞれ複数の円弧状の種子寄せ場の溝に、１個づつ補給されることを特徴とする。
【００２２】
前記円弧状の種子寄せ場の形状は、種の直径を、Ａｍｍとして、幅がＡ×１．１ｍｍ以上から、Ａ×１．２ｍｍ以下の範囲であり、円弧の長さは、Ａ×４．５ｍｍ以上から、Ａ×５．５ｍｍ以下の範囲であり、曲がりＲは、Ａ×１．８ｍｍ以上から、Ａ×２．２ｍｍ以下の範囲であり、スライドプレートの移動距離は、Ａ×１．２ｍｍ以上から、Ａ×１．３ｍｍ以下の範囲とする。
【００２３】
前記Ｌ字状の穴あけ棒は、種入れの深さに対して、３倍の長さであり、土が付着しづらい様に土に入る先端が三角形に削り尖らせたことを特徴とする。
【００２４】
前記種蒔き機は、フレームを介して、人手あるいは自動機械駆動機構によって、移動可能であって、前記Ｌ字状の穴あけ棒が人手あるいは自動機械駆動機構によって、地面に、種蒔き用の穴があけられ、前記Ｌ字状の穴あけ棒が引き抜かれる場合に、前記Ｌ字状の穴あけ棒の側面の土が崩れて培土されたことを特徴とする。
ここで、L字状の穴あけ棒は、簡単に最小限の穴をあけるだけではなく、本体を引抜く際にL字状の穴あけ棒の側面の土が崩れて倍土する機能も有している。
【実施例】
【００２５】
（実施例１）
図１は、実施例１の種蒔き機の斜視図である。種蒔き機は、フレーム６が枠組みとして設置されており、ベースプレート２の上にスライドプレート１が配置され、更に、ベースプレート２の上には、種子容器３が載せられ、また、スライドプレートを移動するレバー１０が設置されている。一方、ベースプレート２からは、複数のチューブ４が、配置され、前記チューブ４の下部には、それぞれ、Ｌ字状穴あけ棒５
が接続されている。
種蒔き機の、全体の寸法は、１例として、
フレーム６の上部の寸法は、
横０．４メートル、幅０．９メートル、高さ０．８メートル。
フレーム６の下部の寸法は、
Ｌ字状穴あけ棒５の箇所によって変わり
Ｌ字状穴あけ棒５の箇所が、５０箇所の場合→横０．４メートル、幅０．９メートル、
Ｌ字状穴あけ棒５の箇所が、６０箇所の場合→横０．５メートル、幅０．９メートル、
であり、Ｌ字状穴あけ棒５の箇所が１０箇所増えるごとに、横は、０．１メートル追加される。
【００２６】
図２は、実施例のスライドプレートの図である。７は、円弧状の種子寄せ場であり、８は、ベースプレートの種通過用の中空穴、９は、種子である。
ここで、円弧状の種子寄せ場７の寸法は、種子の大きさ２ｍｍの場合において、幅２，３ｍｍ、長さが１０ｍｍ、曲がりＲが、４ｍｍとした。
図３は、実施例のスライドプレートの動作図である。スライドプレートの移動距離は、２．５ｍｍとした。
図４は、実施例のスライドプレートと、ベースプレートとの動作図である。
【００２７】
図７は、実施例の円弧状の種子寄せ場７に、種子９が供給される過程の説明図である。
図７（ａ）は、円弧状の種子寄せ場７に種子９が充填された状態、図７（ｂ）は、スライドプレートが移動して、種子９が、１個落下した後の状態、図７（ｃ）は、円弧状の種子寄せ場７に、種子容器内の種子９が充填されていく状態の図である。
スライドプレート上にのせて、スライドすると、５〜６粒の種子が一列になり、余分な種子が入らないように隙間をあけながら転がる。
スライドで種子を落とす時、戻る時も同じである。形状が円弧状であることにより、同一な動きではなく複雑な動きになる。
円弧状の種子寄せ場に収まった種子の上部の種子にも余裕ができます。種子が一粒落ちるとまた、スライドが戻る時や落ちる前に円弧状の種子寄せ場に供給されます。
円弧状の種子寄せ場を沢山設けることによって、携帯性や連続性を可能にする。
【００２８】
スライドプレートの動力は、人力、モータ駆動、その他の活用が可能である。
円弧状の種子寄せ場が、等間隔(間隔は自由)に配置されており、種子を供給できる。
植物、野菜などの色々な球体の種子に対応できる。
例  ポットで栽培する花、水耕栽培、マルチシート(穴あきシート)、畝や畑、野外、ビニールハウス、室内である。
【００２９】
本実施例の種蒔き機は、以下の特徴を有する。
種子詰りをなくする
連続性がある。
種子の小粒を1個1個管理できる。
小規模から大規模まで対応できる。
この構造を使って自動化が可能
構造が簡単。小型
管理体制が整い、間引き回数が低減される。
腰を曲げての作業ではない為、楽
現在、60箇所タイプで5kg位だが、更に、軽減することが可能である。
供給箇所の増減ができる。
簡単作業工程で完了する。本体を下げる種子を入れる本体を上げる。完了
【００３０】
（実施例２）
図８は、Ｌ字状穴あけ棒の図。
図９は、種子箱と、スライドプレート、ベースプレート、チューブとの側面図。
図１０は、チューブとＬ字状穴あけ棒の側面図である。
前記Ｌ字状の穴あけ棒は、種入れの深さに対して、３分の１の長さに、土が付着しづらい様に土に入る先端が三角形に削り尖らせたことを特徴とする。
【００３１】
本実施例の種蒔き機が、従来の種蒔き機より優れている事を以下に列記する。
１．土の穴あけ作業
（従来）      １箇所  指で穴をあける。
（本実施例）  本体を下げる。複数のL字状の穴あけ棒で複数穴をあける。
２、種蒔作業
（従来）      種子を容器から指等でつまんで1つの穴に落とす。
（本実施例）  スライドさせ種子を必要個数複数の土の穴に落とす。
３．培土作業
（従来）      １箇所  指で穴を埋める。
（本実施例）    本体を上げる。複数のL字状の穴あけ棒の側面の土が崩れて埋める。
このように、従来１箇所行う作業と当社の種蒔機での作業とでは格段の差が生じる。
【産業上の利用可能性】
【００３２】
本発明の種蒔き機によれば、従来の種蒔き機で生じていた、種の供給過程途中での種のつまりを防止した、円滑に種を連続的に供給することができる種蒔き機を提供することができ、農業の発展、産業の発展に寄与することができる。
【符号の説明】
【００３３】
１   スライドプレート
２    ベースプレート
３    種子容器
４    チューブ
５    Ｌ字状穴あけ棒フレーム
６    フレーム
７    円弧状の種子寄せ場
８    ベースプレートの種通過用の中空穴
９    種子
９１  落下した種子
１０  スライドプレートを移動するレバー
１１  地面
【要約】      （修正有）【課題】種の供給過程途中での種のつまりを防止し、円滑に種を連続的に供給することができる種蒔き機の提供。【解決手段】スライドプレート１と、その上に形成された複数の円弧状の種子寄せ場と、ベースプレート２と、スライドプレート上に配置された種子容器３と、ベースプレートの種通過用の空洞部から下方向に配列された複数のチューブと、複数のチューブの下側の端部に、配置されたＬ字状の穴あけ棒と、それらを保持しているフレーム６とで構成された種蒔き機であって、円弧状の種子寄せ場には、複数の種が配列されて並べられており、ベースプレート上には、種落下用の中空穴が、複数配列され、スライドプレートをベースプレート上にて、移動することで、円弧状の種子寄せ場の端部が、ベースプレート上の種落下用の中空穴の位置に移動して、種が落下し、落下した種が、チューブの中を通過して、Ｌ字状の穴あけ棒が開けた地面の穴の中に落下する。【選択図】図１【図１】
0005909775.tif 000002
【図２】
0005909775.tif 000003
【図３】
0005909775.tif 000004
【図４】
0005909775.tif 000005
【図５】
0005909775.tif 000006
【図６】
0005909775.tif 000007
【図７】
0005909775.tif 000008
【図８】
0005909775.tif 000009
【図９】
0005909775.tif 000010
【図１０】
0005909775.tif 000011
【図１１】
0005909775.tif 000012
【図１２】
0005909775.tif 000013